(57)【要約】【課題】優先順位を付して複数の負荷を駆動することのできる簡易な負荷駆動回路を提供する。【解決手段】第１負荷３と、第１負荷を駆動する第１駆動スイッチ１と、第２負荷４と、第２負荷を駆動する第２駆動スイッチ２と、前記第１駆動スイッチが第１負荷を駆動する位置に切り替えられたとき導通する第１スイッチ手段５と、前記第２駆動スイッチが第２負荷を駆動する位置に切り替えられたとき導通する第２スイッチ手段６と、第１スイッチ手段５と第２スイッチ手段６が同時に導通したとき、前記第１負荷と接地端子間の接続を遮断する第３スイッチ手段７を備えた。【選択図】        図１
2004229381.tif 000002
【特許請求の範囲】
【請求項１】
第１負荷と、
第１負荷を駆動する第１駆動スイッチと、
第２負荷と、
第２負荷を駆動する第２駆動スイッチと、
前記第１駆動スイッチが第１負荷を駆動する位置に切り替えられたとき導通する第１スイッチ手段と、
前記第２駆動スイッチが第２負荷を駆動する位置に切り替えられたとき導通する第２スイッチ手段と、
第１スイッチ手段と第２スイッチ手段が同時に導通したとき、前記第１負荷の駆動を停止する第３スイッチ手段を備えたことを特徴とする負荷駆動回路。
【請求項２】
第１モータと、
第１モータの一方の端子に接続され、該一方の端子を電源端子または接地端子の何れか一方と接続する第１スイッチと、第１モータの他方の端子に接続され、該他方の端子を電源端子または接地端子の何れか一方と接続する第２スイッチからなる第１駆動スイッチと、
第２モータと、
第２モータの一方の端子に接続され、該一方の端子を電源端子または接地端子の何れか一方と接続する第３スイッチと、第２モータの他方の端子に接続され、該他方の端子を電源端子または接地端子の何れか一方と接続する第４スイッチからなる第２駆動スイッチと、
第１スイッチまたは第２スイッチが操作されたとき導通する第１スイッチ手段と、
第３スイッチまたは第４スイッチが操作されたとき導通する第２スイッチ手段と、
第１スイッチ手段と第２スイッチ手段が同時に導通したとき、前記第１モータの一方の端子または他方の端子と電源端子または接地端子間の接続を遮断する第３スイッチ手段を備えたことを特徴とするモータ駆動回路。
【発明の詳細な説明】
【０００１】
【発明の属する技術分野】
本発明はモータ等の負荷を駆動する負荷駆動回路に係り、特に複数の負荷を優先順位を付して駆動することのできる負荷駆動回路に関する。
【０００２】
【従来の技術】
例えば、特許文献１には、パワーウインドウモータ及び該パワーウインドウモータを駆動するパワーウインドウスイッチからなる駆動装置を複数組備えたパワーウインドウ装置において、複数のパワーウインドウスイッチが同時に操作されたとき、優先順位の高いスイッチの操作が優先されて、残りのスイッチの操作が無効とされるパワーウインドウ装置が示されている。
【０００３】
【特許文献１】
特開平８−１０５２７０号
【０００４】
【発明が解決しようとする課題】
前記、従来のパワーウインドウ装置は、マイコンを使用して装置を構成している。このため、マイコンに搭載するプログラムの内容次第で、パワーウインドウモータの駆動に任意の優先順位を付与して装置を駆動することができる。また、制御の方法も容易に変更できるため、その利便性・拡張性は向上する。
【０００５】
しかしながら、例え、前記駆動装置が２組の場合であっても、パワーウインドウスイッチに優先順位を付与するためには、前記マイコン及びそれに付随する周辺回路を必要とする。このため、優先順位を付与するための回路装置のコストが上昇し、更に前記回路装置を含むパワーウインドウ装置の製品サイズが増大する。
【０００６】
本発明は、これらの問題点に鑑みてなされたもので、優先順位を付して複数の負荷を駆動することのできる簡易な負荷駆動回路を提供する。
【０００７】
【課題を解決するための手段】
本発明は、上記の課題を解決するために次のような手段を採用した。
【０００８】
第１負荷と、第１負荷を駆動する第１駆動スイッチと、第２負荷と、第２負荷を駆動する第２駆動スイッチと、前記第１駆動スイッチが第１負荷を駆動する位置に切り替えられたとき導通する第１スイッチ手段と、前記第２駆動スイッチが第２負荷を駆動する位置に切り替えられたとき導通する第２スイッチ手段と、第１スイッチ手段と第２スイッチ手段が同時に導通したとき、前記第１負荷のを停止する第３スイッチ手段を備えた。これにより、優先順位を付して複数の負荷（第１負荷及び第２負荷）を簡易な回路構成で駆動することができる。
【０００９】
また、第１モータと、第１モータの一方の端子に接続され、該一方の端子を電源端子または接地端子の何れか一方と接続する第１スイッチと、第１モータの他方の端子に接続され、該他方の端子を電源端子または接地端子の何れか一方と接続する第２スイッチからなる第１駆動スイッチと、第２モータと、第２モータの一方の端子に接続され、該一方の端子を電源端子または接地端子の何れか一方と接続する第３スイッチと、第２モータの他方の端子に接続され、該他方の端子を電源端子または接地端子の何れか一方と接続する第４スイッチからなる第２駆動スイッチと、第１スイッチまたは第２スイッチが操作されたとき導通する第１スイッチ手段と、第３スイッチまたは第４スイッチが操作されたとき導通する第２スイッチ手段と、第１スイッチ手段と第２スイッチ手段が同時に導通したとき、前記第１モータの一方の端子または他方の端子と電源端子または接地端子間の接続を遮断する第３スイッチ手段を備えた。これにより、優先順位を付して複数の負荷（正逆転可能な第１モータ及び第２モータ）を簡易な回路構成で駆動することができる。
【００１０】
【発明の実施の形態】
以下、本発明の実施形態を添付図面を参照しながら説明する。図１は、本発明の実施形態にかかる負荷駆動回路を説明する図である。図において、＋Ｂは直流電源、１は第１駆動スイッチ、３は第１駆動スイッチにより駆動されるモータ等からなる第１負荷である。第１駆動スイッチ１は、第１負荷３の一端（一方の端子）を直流電源（＋Ｂ）端子または第３スイッチ手段７を介して接地（ＧＮＤ）端子に接続する第１切り換えスイッチ１１及び、第１負荷３の他端（他方の端子）を直流電源（＋Ｂ）端子または第３スイッチ手段７を介して接地（ＧＮＤ）端子に接続する第２切り換えスイッチ１２からなる。
【００１１】
２は第２駆動スイッチ、４は第２駆動スイッチにより駆動されるモータ等からなる第２負荷である。第２駆動スイッチ２は、第２負荷４の一端（一方の端子）を直流電源（＋Ｂ）端子または接地（ＧＮＤ）端子に接続する第３切り換えスイッチ２１及び、第２負荷の４の他端（他方の端子）を直流電源（＋Ｂ）端子または接地（ＧＮＤ）端子に接続する第４切り換えスイッチ２２からなる。
【００１２】
５はトランジスタ等からなる第１スイッチ手段、６は第１スイッチ手段５と直列接続したトランジスタ等からなる第２スイッチ手段、７はリレー等からなる第３スイッチ手段であり、該第３スイッチ手段７は第１スイッチ手段５及び第２スイッチ手段６がオンに駆動されたときオフに駆動される。
【００１３】
４１，４２は第１スイッチ手段を構成するトランジスタＴ１のベース電極と第１負荷の一端もしくは他端を接続するダイオード。４３，４４は第２スイッチ手段を構成するトランジスタＴ２のベース電極と第２負荷の一端もしくは他端を接続するダイオードである。４５，４６はダイオード、４７は第３スイッチ手段を構成するリレーの励磁コイルである。
【００１４】
図１において、第１駆動スイッチ１の一方の切換スイッチ（例えば第１切換スイッチ１１）を操作して、第１負荷３の一端を直流電源（＋Ｂ）端子に接続すると、第１負荷３であるモータは一方向に駆動される。また、第１駆動スイッチ１の他方の切換スイッチ（例えば第２切換スイッチ１２）を操作して、第１負荷３の他端を直流電源（＋Ｂ）端子に接続すると、第１負荷３であるモータは他方向に駆動される。
【００１５】
同様に、第２駆動スイッチ２の一方の切換スイッチ（例えば第３切換スイッチ２１）を操作して、第２負荷４の一端を直流電源（＋Ｂ）端子に接続すると、第２負荷４であるモータは一方向に駆動される。また、第２駆動スイッチ２の他方の切換スイッチ（例えば第４切換スイッチ２２）を操作して、第２負荷４の他端を直流電源（＋Ｂ）端子に接続すると、第２負荷４であるモータは他方向に駆動される。
【００１６】
ところで、前述のように第１駆動スイッチ１の一方の切換スイッチ（例えば第１切換スイッチ１１）を操作して、第１負荷３の一端を直流電源（＋Ｂ）端子に接続したとき、第１スイッチ手段５を構成するトランジスタＴ１のベース電極にはダイオード４１を介してバイアス電圧が供給される。また、第１駆動スイッチ１の他方の切換スイッチ（例えば第２切換スイッチ１２）を操作して、第１負荷３の他端を直流電源（＋Ｂ）端子に接続したとき、第１スイッチ手段５を構成するトランジスタＴ１のベース電極にはダイオード４２を介してバイアス電圧が供給される。
【００１７】
同様に、第２駆動スイッチ２の一方の切換スイッチ（例えば第３切換スイッチ２１）を操作して、第２負荷４の一端を直流電源（＋Ｂ）端子に接続したとき、第２スイッチ手段６を構成するトランジスタＴ２のベース電極にはダイオード４３を介してバイアス電圧が供給される。また、第２駆動スイッチ２の他方の切換スイッチ（例えば第４切換スイッチ２２）を操作して、第２負荷の４の他端を直流電源（＋Ｂ）端子に接続したとき、第２スイッチ手段６を構成するトランジスタＴ２のベース電極にはダイオード４４を介してバイアス電圧が供給される。
【００１８】
すなわち、第１駆動スイッチ１の何れか一方の切換スイッチを操作して、第１負荷の３の何れか一端を直流電源（＋Ｂ）端子に接続したとき、第１スイッチ手段５を構成するトランジスタＴ１のベース電極にはダイオード４１あるいは４２を介してバイアス電圧が供給される。同様に、第２駆動スイッチ２の何れか一方の切換スイッチを操作して、第２負荷４の何れか一端を直流電源（＋Ｂ）端子に接続したとき、第２スイッチ手段６を構成するトランジスタＴ２のベース電極にはダイオード４３あるいは４４を介してバイアス電圧が供給される。
【００１９】
従って、第１駆動スイッチ１の何れか一方の切換スイッチを操作して、第１負荷３の何れか一端を直流電源（＋Ｂ）端子に接続すると同時に、第２駆動スイッチ２の何れか一方の切換スイッチを操作して、第２負荷４の何れか一端を直流電源（＋Ｂ）端子に接続する場合、第１スイッチ手段５を構成するトランジスタＴ１及び第２スイッチ手段６を構成するトランジスタＴ２は共に導通する。これにより第３スイッチ手段７はオフに駆動され、第１負荷３の一端または他端と接地（ＧＮＤ）端子間の接続が断たれる。
【００２０】
すなわち、第１駆動スイッチ１の何れか一方の切換スイッチと、第２駆動スイッチ２の何れか一方の切換スイッチを同時に操作すると、優先度の高い第２負荷４のみが駆動されることになる。
【００２１】
図２は、本発明の他の実施形態にかかる負荷駆動回路を説明する図である。図において、Ｔ１は第１スイッチ手段５を構成するトランジスタ、Ｔ２は第２スイッチ手段６を構成するトランジスタである。前記図１に示す実施形態では、第１スイッチ手段５及び第２スイッチ手段６を構成するトランジスタとしてＮＰＮトランジスタを使用したが、本実施形態では、前記トランジスタとしてＰＮＰトランジスタを使用した。また、このトランジスタ形式の変更に伴いダイオード４１，４２，４３，４４は前記とは逆方向に接続した。また、第３スイッチング手段７は第１負荷３の一端または他端と直流電源（＋Ｂ）端子間に接続されるようにした。なお、回路の動作は前述の実施形態と同様であるので詳細な説明は省略する。
【００２２】
図３は、本発明のさらに他の実施形態にかかる負荷駆動回路を説明する図である。図において、３１は第１駆動スイッチ、３は第１駆動スイッチにより駆動されるランプ等からなる第１負荷である。第１駆動スイッチ３１は、第１負荷３の一端を直流電源（＋Ｂ）端子に接続する。
【００２３】
３２は第２駆動スイッチ、４は第２駆動スイッチにより駆動されるランプ等からなる第２負荷である。第２駆動スイッチ３２は、第２負荷４の一端を直流電源（＋Ｂ）端子に接続する。
【００２４】
７はリレー等からなる第３スイッチ手段であり、該第３スイッチ手段７は第１負荷３の他端を接地（ＧＮＤ）端子に接続する。
【００２５】
また、第１スイッチ手段５を構成するトランジスタＴ１のベース電極と第１負荷３の一端間はバイアス抵抗Ｒ１を介して接続する。同様に第２スイッチ手段６を構成するトランジスタＴ２のベース電極と第２負荷４の一端間はバイアス抵抗Ｒ３を介して接続する。なお、図３において図１に示される部分と同一部分については同一符号を付してその説明を省略する。
【００２６】
本実施形態においても、第１駆動スイッチ３１を操作して、第１負荷３の一端を直流電源（＋Ｂ）端子に接続すると同時に、第２駆動スイッチ３２を操作して、第２負荷４の一端を直流電源（＋Ｂ）端子に接続する場合、第１スイッチ手段６を構成するトランジスタＴ１及び第２スイッチ手段６を構成するトランジスタＴ２は共に導通する。これにより第３スイッチ手段はオフに駆動され、第１負荷３の他端と接地（ＧＮＤ）端子間の接続が断たれる。
【００２７】
すなわち、第１駆動スイッチ３１と、第２駆動スイッチ３２を同時に操作すると、優先度の高い第２負荷４のみが駆動されることになる。
【００２８】
【発明の効果】
以上説明したように本発明によれば、マイコンを使用することなく、簡易な回路構成で優先順位を付して複数の負荷を駆動することができる。
【図面の簡単な説明】
【図１】本発明の実施形態にかかる負荷駆動回路を説明する図である。
【図２】本発明の他の実施形態にかかる負荷駆動回路を説明する図である。
【図３】本発明のさらに他の実施形態にかかる負荷駆動回路を説明する図である。
【符号の説明】
１，３１  第１駆動スイッチ
２，３２  第２駆動スイッチ
３  第１負荷
４  第２負荷
５  第１スイッチ手段
６  第２スイッチ手段
７  第３スイッチ手段
１１  第１切り換えスイッチ（第１スイッチ）
１２  第２切り換えスイッチ（第２スイッチ）
２１  第３切り換えスイッチ（第３スイッチ）
２２  第４切り換えスイッチ（第４スイッチ）
４１〜４６  ダイオード
４７  励磁コイル
【図１】
2004229381.tif 000003
【図２】
2004229381.tif 000004
【図３】
2004229381.tif 000005